【事件の表示】
　平成１０年特許願第１９２００９号「情報処理装置及び電力制御方法並びに記録媒体」拒絶査定不服審判事件〔平成１２年　１月２１日出願公開、特開２０００−　２０１８７〕について、次のとおり審決する。
【結　論】
　本件審判の請求は、成り立たない。
【理　由】
１．手続の経緯
　本願は，平成１０年７月７日の出願であって，平成１５年１２月５日付けで手続補正がなされ，平成１８年５月３１日付けの拒絶の理由の通知に対して，同年８月７日付けで意見書が提出されるとともに，同日付けで手続補正がなされたが，平成１９年３月９日付けで拒絶をすべき旨の査定を受けたものであり，これに対し同年４月１２日に拒絶査定不服審判の請求がなされるとともに，同年５月１４日付けで手続補正がなされたものである。
　
２．平成１９年５月１４日付けの手続補正についての却下の決定
［結論］
　平成１９年５月１４日付けの手続補正を却下する。
［理由］
（１）補正後の本願発明
　本件補正により，補正前の特許請求の範囲の請求項９は，補正後の特許請求の範囲の請求項３として，
「各データに応じた複数の駆動手段を駆動させる情報処理装置の電力制御方法において、
　前記各駆動手段の動作を制御する駆動制御データ及びデータ本体で構成されるデータが供給され、
　前記データ内の前記駆動制御データに応じて前記駆動手段への電源供給及び前記駆動手段の省電力制御を制御することを特徴とする情報処理装置の電力制御方法。」と補正された。
　
　本件補正前の請求項９に記載した発明を特定するために必要な事項である「前記各駆動手段の動作を制御する駆動制御データが付与されたデータ」について「前記各駆動手段の動作を制御する駆動制御データ及びデータ本体で構成されるデータ」と限定する補正及び本件補正前の請求項９に記載した発明を特定するために必要な事項である「前記駆動制御データに応じて」について「前記データ内の」との限定を付加する補正は，特許法１７条の２第４項第２号の特許請求の範囲の減縮を目的とするものに該当する。
　そこで，本件補正後の請求項３に記載された発明（以下「本願補正発明」という。）が特許出願の際独立して特許を受けることができるものであるか（特許法第１７条の２第５項において準用する同法第１２６条第５項の規定に適合するか）について以下に検討する。
　
（２）引用例の記載
　原査定の拒絶の理由に引用された特開平９−７２８５号公報（平成９年１月１０日出願公開。以下「引用例」という。）には，図面とともに次の事項が記載されている。
　
Ａ．「【０００５】このシステムにおいて、車載用ディスク交換装置には、自動車のバッテリから電源電圧が供給される。この自動車のバッテリは、自動車の各電気系に対しても電源電圧を供給する。このため、バッテリの電力消費は少ないほうが望ましく、車載用ディスク交換装置についても省電力化が望まれる。」（第２頁第２欄第７行目〜同欄第１２行目）
　
Ｂ．「【００１８】以上のことにかんがみ、この発明は複数種類のディスクの再生を可能にした場合であっても、不必要に電力を消費することなく、省電力化を図ることができる車載用ディスク交換装置を提供することを目的とする。」（第３頁第３欄第２８行目〜同欄第３２行目）
　
Ｃ．「【００３３】図１に示すように、この例の車載用ディスク交換装置１０は、この装置全体を制御する制御マイクロコンピュータ（以下、制御マイコンという）１１と、安定化電源回路１２と、メカデッキ１３と、サーボおよび共通信号処理部１４と、ディスプレイ出力回路１５と、ビデオＣＤ処理回路１６と、ＣＤ−Ｇ処理回路１７と、オーディオＤ／Ａ回路１８と、安定化電源回路１２の電源電圧出力端と、各部との間に設けられたスイッチ回路Ｓ１〜Ｓ６とを備えている。
【００３４】ライン６１は、安定化電源電圧を供給する電源ラインである。ライン７１は、制御マイコン１１から各部へ制御信号を供給するとともに、スイッチ回路Ｓ１〜Ｓ６の切換制御信号を供給する制御ラインであり、ライン７２は、安定化電源回路１２のオン・オフを制御する制御信号を供給するラインである。また、ライン８１は、制御マイコン１１と各部との間で制御コマンド以外の、必要とするデータのやり取りを行なうデータラインであり、ライン８２は、主にデジタルビデオ信号を、ビデオＣＤ処理回路１６、ＣＤ−Ｇ処理回路１７からディスプレイ出力回路１５へ供給するデータラインである。
【００３５】安定化電源回路１２は、バスライン５０中の電源ライン５１を通じて、自動車用バッテリーＥＢから電源電圧の供給を受ける。そして、車載用ディスク交換装置１０の各部に供給する安定化電源電圧を形成する。形成された安定化電源電圧は、電源ライン６１と、各部に対応して設けられたスイッチ回路Ｓ１〜Ｓ６を介して、車載用ディスク交換装置１０の各部に供給される。
【００３６】また、安定化電源回路１２は、制御マイコン１１に対して常時電源電圧をライン６２を通じて供給し、この制御マイコン１１を、いわゆる電源バックアップするようにしている。
【００３７】メカデッキ１３は、ディスク装填、チャッキング、ディスク交換その他の機械的な動作をするものであり、制御マイコン１１からの制御信号により駆動制御される。
【００３８】サーボおよび信号共通処理部１４は、図示しないが、ディスク回転用のスピンドルモータ、光ピックアップをディスクの半径方向に移動させるための２軸アクチュエータを含み、トラッキングサーボ、フォーカスサーボやスピンドルサーボを行なうためのサーボ回路を備えるとともに、再生ＲＦ信号処理回路、エラー訂正デコード処理回路などの再生信号に対して共通の信号処理を行なう回路部分を備える。
【００３９】このサーボおよび信号共通処理部１４には、制御マイコン１１からサーボ用制御信号が供給されるとともに、安定化電源回路１２からモータ用として例えば９Ｖ、信号処理回路用の電源として例えば５Ｖが供給される。そして、このサーボおよび信号共通処理部１４からは、デジタルデータ（オーディオデータあるいはビデオデータ）が得られ、そのデジタルデータが再生するディスクの種別に応じて、ビデオＣＤ処理回路１６、ＣＤ−Ｇ処理回路１７、オーディオＤ／Ａ回路１８に供給される。
【００４０】制御マイコン１１は、このサーボおよび信号共通処理部１４からの各ディスクのＴＯＣ（Table Of Contents ）情報から各ディスクの種別を判別する機能を備え、車載用ディスク交換装置１０に装填された複数枚のディスクの種別を予め記憶するメモリ（図示せず）を備えている。そして、このメモリの内容から、常に装填されている複数のディスクを認識しながら、制御コマンドに応じたディスク選択などの処理を行ない、存在しないディスクに対する制御命令の場合には、その処理は行なわず、注意を喚起する表示などを行なうようにする。この表示用信号は、ディスプレイ出力回路１５で生成され、マスターユニット２０に送られ、マスターユニット２０の表示装置２３において対応する表示が行なわれる。
【００４１】ビデオＣＤ処理回路１６は、例えば、ＭＰＥＧ１の圧縮方式を用いて、圧縮されて記録されたビデオＣＤからのデジタルビデオ信号の供給を受ける。そして、制御マイコン１１からの制御信号に基づいて、圧縮されたビデオ信号を伸長処理などを行なって、出力ビデオ信号を形成する。
【００４２】ＣＤ−Ｇ処理回路１７は、制御マイコン１１からの制御信号に基づいて、ＣＤ−Ｇのディスクに記録されたサブコードのうち、所定の位置に記録されたＣＤ−Ｇのグラフィックデータを抽出し、デコードして、これに応じたグラフィック表示のための出力信号を形成する。
【００４３】オーディオＤ／Ａ回路１８は、制御マイコン１１からの制御信号に基づいて、デジタルオーディオ信号をアナログオーディオ信号に変換する処理を行ない、オーディオ出力信号を出力する。出力されたオーディオ信号は、図示しないが、オーディオアンプを介してスピーカに供給されて再生される。
【００４４】ディスプレイ出力回路１５は、制御マイコン１１からの制御信号に基づいて、前述したようにビデオＣＤ処理回路１６や、ＣＤ−Ｇ処理回路１７から供給されるデジタルビデオ信号をアナログビデオ信号に変換する処理を行ない、ビデオ出力信号を出力する。出力されたビデオ信号は、マスターユニット２０に供給されるほか、図示しない表示モニタ装置に供給され、当該ビデオ出力信号による画像が、その表示モニタ装置に表示される。
【００４５】また、ディスプレイ出力回路１５は、キャラクタジェネレータなどを備え、制御マイコン１１からの制御信号に基づいて、マスターユニット２０や、車載用ディスク交換装置１０の状態などを画像情報として、前述したようにマスターユニット２０のＬＣＤ２３などの表示装置に表示するための出力ビデオ信号をも形成し、出力することができるものである。なお、上記表示モニタ装置にも供給して、表示することもできる。
【００４６】マスターユニット２０は、例えば、リモートコマンダ２４を介して、利用者からの操作入力に応じた制御コマンドが提供されると、その制御コマンドを受信部２２で受信し、制御マイコン２１で判別し、制御コマンドを発生させる。発生された制御コマンドが、他へ送信すべきものであるときには、バスライン５０を通じて、車載用ディスク交換装置１０や当該バスラインに接続される他のソースや他の車載用ディスク交換装置に転送される。
【００４７】車載用ディスク交換装置１０の制御マイコン１１は、マスターユニット２０からの制御コマンドの供給を受けると、以下に詳述するように、マスターユニット２０のオン・オフの状態、制御コマンドによる指示内容および、車載用ディスク交換装置１０の状態、つまり、ディスク交換の状態であるか、どの種類のディスクの再生状態であるかに応じて、動作させるべき各部に電源を供給する。
【００４８】すなわち、制御マイコン１１は、先ず、動作させる回路部に応じて、スイッチ回路Ｓ１〜Ｓ６をオン・オフを制御することにより電源の供給範囲を制御する。
【００４９】そして、電源が供給された回路部が動作し、制御マイコン１１からの制御信号が受信可能になり、マスターユニット２０からの制御コマンドに応じた処理を行なう。
【００５０】図２は、この例の車載用ディスク交換装置１０において、電源の供給範囲が異なる６つの状態を説明するための図である。また、図３〜図８は、図２に示す状態１〜状態６における電源・投入状態にある各部を示す図である。」（第４頁第５欄第３５行目〜第５頁第８欄第１８行目）
　
Ｄ．「【００６０】状態４は、当該車載用ディスク交換装置１０において、ＣＤ−Ｇのディスクが再生されている場合である。ディスクの種別は、前述したように、制御マイコン１１において、サーボおよび信号共通処理部１４からの各ディスクのＴＯＣ情報により判別される。
【００６１】この状態４の場合には、図２に示すように、図１に示したスイッチ回路Ｓ１、Ｓ２、Ｓ４、Ｓ５、Ｓ６がオンにされ、また、スイッチ回路Ｓ３がオフにされる。
【００６２】したがって、図６に示すように、ビデオＣＤ処理回路１６以外のメカデッキ１３、サーボおよび信号共通処理部１４、ディスプレイ出力回路１５、ＣＤ−Ｇ処理回路１７、オーディオＤ／Ａ回路１８に電源が供給される。
【００６３】これにより、ビデオＣＤ処理回路１６以外の各回路が動作する。そして、ＣＤ−Ｇディスクに記録された画像情報は、サーボおよび共通信号処理部１４から、データライン８１を介してＣＤ−Ｇ処理回路１７に供給され、ここでグラフィックス表示画像信号が形成される。この信号は、データライン８２を介してディスプレイ出力回路１５に供給され、アナログビデオ信号に変換されて再生される。
【００６４】同様に、ＣＤ−Ｇに記録された音声情報は、サーボおよび共通信号処理部１４からデータライン８１を介してオーディオＤ／Ａ回路に供給され、ここでアナログオーディオ信号に変換されて再生される。
【００６５】状態５は、当該車載用ディスク交換装置１０において、ビデオＣＤのディスクが再生されている場合である。この場合、図１に示したＣＤ−Ｇ処理回路１７は使用されない。
【００６６】この状態５の場合には、図２に示すように、図１に示したスイッチ回路Ｓ１、Ｓ２、Ｓ３、Ｓ５、Ｓ６がオンにされ、スイッチ回路Ｓ４はオフにされる。
【００６７】したがって、状態５の場合には、図７に示すように、ＣＤ−Ｇ処理回路１７以外のメカデッキ１３、サーボおよび信号共通処理部１４、ディスプレイ出力回路１５、ビデオＣＤ処理回路１６、オーディオＤ／Ａ回路１８に電源が供給される。
【００６８】これにより、ビデオＣＤに記録された画像情報は、サーボおよび信号共通処理部１４からデータバス８１を介してビデオＣＤ処理回路１６に供給され、ここで圧縮された画像情報が伸長処理され、デジタルビデオ信号が形成される。形成されたデジタルビデオ信号は、データバス８２を介してディスプレイ出力回路１６に供給され、ここでアナログビデオ信号に変換されて再生される。
【００６９】また、ビデオＣＤに記録された音声情報は、サーボおよび信号共通部１４から、データバス８１を介してオーディオＤ／Ａ回路１８に供給され、ここでアナログオーディオ信号に変換されて再生される。
【００７０】状態６は、当該車載用ディスク交換装置１０において、ＣＤ−Ｇ、ビデオＣＤ以外の、例えば、音楽ＣＤやＣＤ−ＲＯＭが再生されている場合である。この場合、ビデオＣＤ処理回路１６、ＣＤ−Ｇ処理回路１７は使用されない。
【００７１】すなわち、状態６の場合には、図２に示すように、図１に示したスイッチ回路Ｓ１、Ｓ２、Ｓ５、Ｓ６がオンにされ、スイッチ回路Ｓ３、Ｓ４がオフにされる。
【００７２】したがって、この状態６の場合には、図８に示すように、ビデオＣＤ処理回路１６、ＣＤ−Ｇ処理回路１７以外の、メカデッキ１３、サーボおよび信号共通処理部１４、ディスプレイ出力回路１５、オーディオＤ／Ａ回路１８に電源が供給される。
【００７３】これにより、音声ＣＤ、ＣＤ−ＲＯＭに記録された音声情報は、サーボおよび信号共通処理部１４からデータバス８１を介して、オーディオＤ／Ａ回路１８に供給され、アナログオーディオ信号が形成されて再生される。
【００７４】なお、この例の車載用ディスク交換装置１０は、再生するディスクがＣＤ−ＲＯＭであった場合には、音声情報だけを再生するようにしている。
【００７５】なお、状態４、状態５および状態６では、モータに＋９Ｖの電圧を供給する必要があるため、安定化電源回路１２は、制御マイコン１１からのライン７２を通じた制御信号により、９Ｖの電源電圧供給部もオンにする。
【００７６】このように、機能が増大し、再生可能なディスクが増加した、この例の車載用ディスク交換装置１０において、制御マイコン１１がマスターユニット２０の状態をモニタし、マスターユニット２０からの制御コマンドによる次に現出すべき自己（車載用ディスク交換装置１０）の状態とを合わせて電源を供給する範囲を制御する。これにより、この例の車載用ディスク交換装置１０では、動作させる必要のない回路に電源を供給しなくても済み、必要最小限の消費電力で種別の異なる複数のディスクを再生することができる。」（第６頁第９欄第２６行目〜第７頁第１１欄第１３行目）
　
Ｅ．「【００８５】ステップ１０５の判断処理において、ディスクが、固定テーブルにチャッキングされていると判断すると、当該ディスクからＴＯＣを読み出す（ステップ１０７）。そして、ＴＯＣの内容から、当該再生されたディスクは、オーディオＣＤか（図１０ではＯＤ）、ビデオＣＤ（図１０ではＶＤ）か、そのいずれでもないＣＤ−ＲＯＭディスクかを判断する（ステップ１０８）。
【００８６】なお、ステップ１０８の判断処理においてオーディオＣＤあるいは、ビデオＣＤであると判断された場合であっても、ＣＤ−ＲＯＭ形式でデータが書き込まれているディスクが存在するため、後述するような判断ステップ１０９、ステップ１１７において、区別するようにしている。
【００８７】ステップ１０８の判断処理において、オーディオＣＤであると判断された場合には、真にオーディオＣＤか否かを判断する（ステップ１０９）。ステップ１０９の判断処理において、オーディオＣＤであると判断された場合には、当該ディスクは、ＣＤ−Ｇのディスクか否かを判断する（ステップ１１０）。
【００８８】ステップ１１０の判断処理において、ＣＤ−Ｇのディスクでないと判断された場合には、当該ディスクは、ＣＤ−ＤＡ（音楽専用ディスク）であり、制御マイコン１１は、図２に示した状態６であると判定する（ステップ１１１）。そして、制御マイコン１１は、スイッチ回路Ｓ１、Ｓ２、Ｓ５、Ｓ６をオンにし、スイッチ回路Ｓ３、Ｓ４をオフにする（ステップ１１２）。
【００８９】ステップ１１０の判断処理において、ＣＤ−Ｇのディスクであると判断した場合には、当該ディスクは、ＣＤ−Ｇのディスクであり、制御マイコン１１は、図２に示した状態５であると判定する（ステップ１１３）。そして、制御マイコン１１は、スイッチ回路Ｓ１、Ｓ２、Ｓ３、Ｓ５、Ｓ６をオンにし、スイッチ回路Ｓ４をオフにする（ステップ１１４）。
【００９０】また、ステップ１０９の判断処理において、オーディオ用ディスクでないと判断したときには、当該ディスクは、ＣＤ−ＲＯＭディスクであり、状態６であると判定する（ステップ１１５）。そして、制御マイコン１１は、前述のステップ１１２と同様に、図２に示す状態６の場合のスイッチ制御を行なう（ステップ１１６）。
【００９１】また、ステップ１０８の判断処理において、ＣＤ−ＲＯＭディスクであると判断した場合においても、上述のステップ１１５、ステップ１１６の処理を行なう。すなわち、制御マイコン１１は、図２に示す状態６の場合のスイッチ制御を行なう。
【００９２】また、ステップ１０８の判断処理において、ビデオＣＤであると判断した場合には、真にビデオＣＤであるか否かを判断する（ステップ１１７）。ここで、ビデオＣＤでないと判断した場合には、当該ディスクはＣＤ−ＲＯＭディスクであるとして、ステップ１１５、ステップ１１６の処理を行なう。すなわち、制御マイコン１１は、図２に示す状態６の場合の制御を行なう。
【００９３】ステップ１１７の判断処理において、ビデオＣＤであると判断した場合には、制御マイコン１１は状態４であると判定する（ステップ１１８）。そして、制御マイコン１１は、スイッチ回路Ｓ１、Ｓ２、Ｓ４、Ｓ５、Ｓ６をオンにし、スイッチ回路Ｓ３をオフにする（ステップ１１９）。
【００９４】このように、制御マイコン１１は、マスターユニット２０のオン、オフの状態と、車載用ディスク交換装置１０の次の状態と、再生するディスクの種類とを考慮して、電源の供給範囲を適正にするように制御している。
【００９５】これにより、動作する必要のない回路部分には、電源を供給することもなく、必要最小限の電源で動作する車載用ディスク交換装置が実現できる。」（第７頁第１２欄第４行目〜第８頁第１３欄第２０行目）
　
　以上の記載によれば，引用例には，次の発明（以下「引用発明」という。）が記載されている。
　
「ビデオＣＤ処理回路１６と，ＣＤ−Ｇ処理回路１７，スイッチ回路Ｓ３と，スイッチ回路Ｓ４とを備えた車載用ディスク交換装置１０において，
　電源は，スイッチ回路Ｓ３を介して，ビデオＣＤ処理回路１６に供給され，また，スイッチ回路Ｓ４を介して，ＣＤ−Ｇ処理回路１７に供給され，
　ビデオＣＤ処理回路１６は，ビデオＣＤからのデジタルビデオ信号の供給を受け
　ＣＤ−Ｇ処理回路１７は，ＣＤ−Ｇのディスクに記録されたＣＤ−Ｇのグラフィックデータを抽出し，
　ディスクからＴＯＣを読み出し，ＴＯＣの内容から，当該再生されたディスクは，ビデオＣＤか，ＣＤ−Ｇのディスクかを判断し，
　ビデオＣＤであると判断した場合には，スイッチ回路Ｓ３をオンにし，スイッチ回路Ｓ４をオフにし，
　ＣＤ−Ｇのディスクであると判断した場合には，スイッチ回路Ｓ４をオンにし，スイッチ回路Ｓ３をオフにすることにより，
　電源の供給範囲を制御する，
　車載用ディスク交換装置１０」
　
（３）対比
　本願補正発明と引用発明を対比する。
　引用発明の「ビデオＣＤ処理回路１６」及び「ＣＤ−Ｇ処理回路１７」は，本願補正発明の「複数の駆動手段」に相当する。引用発明において，「ビデオＣＤからのデジタルビデオ信号」は，データの一種であることは明らかであるから，引用発明の「ビデオＣＤからのデジタルビデオ信号」及び「ＣＤ−Ｇのディスクに記録されたＣＤ−Ｇのグラフィックデータ」はともに，本願補正発明の「各データ」に相当する。そして，引用発明の「ビデオＣＤ処理回路１６」は，「ビデオＣＤからのデジタルビデオ信号」に応じたものであり，また，引用発明の「ＣＤ−Ｇ処理回路１７」は，「ＣＤ−Ｇのディスクに記録されたＣＤ−Ｇのグラフィックデータ」に応じたものであることは明らかである。
　引用発明の「車載用ディスク交換装置１０」は，データなどの情報を処理するものであるのは明らかであるから，本願補正発明の「情報処理装置」に相当する。また，引用発明の「車載用ディスク交換装置１０」は，「ビデオＣＤ処理回路１６」及び「ＣＤ−Ｇ処理回路１７」を駆動させるものであるといえる。
　引用発明は，車載用ディスク交換装置１０における電源の供給範囲を制御するものであり，電源の供給範囲の制御は電力制御の一種であることをかんがみると，引用発明は，「情報処理装置の電力制御方法」に関するものであるといえる。
　引用発明において，ＴＯＣの内容によって，スイッチ回路Ｓ３をオン又はオフにし，スイッチ回路Ｓ４をオン又はオフにすることにより，ビデオＣＤ処理回路１６及びＣＤ−Ｇ処理回路１７への電源供給を制御することは明らかであるから，ＴＯＣは，ビデオＣＤ処理回路１６及びＣＤ−Ｇ処理回路１７の動作を制御するものであるといえる。したがって，引用発明の「ＴＯＣ」は，本願補正発明の「各駆動手段の動作を制御する駆動制御データ」に相当する。引用発明の「ビデオＣＤからのデジタルビデオ信号」及び「ＣＤ−Ｇのディスクに記録されたＣＤ−Ｇのグラフィックデータ」はともに，本願補正発明の「データ本体」に相当する。引用発明において，ディスクがビデオＣＤディスクの場合には「ＴＯＣ」及び「ビデオＣＤからのデジタルビデオ信号」で構成されるデータ又はディスクがＣＤ−Ｇのディスクの場合には「ＴＯＣ」及び「ＣＤ−Ｇのディスクに記録されたＣＤ−Ｇのグラフィックデータ」で構成されるデータが，車載用ディスク交換装置１０に供給されるのは明らかである。したがって，引用発明は，本願補正発明の「前記各駆動手段の動作を制御する駆動制御データ及びデータ本体で構成されるデータが供給され」る構成に相当する構成を有している。
　引用発明において，ＴＯＣの内容によって，スイッチ回路Ｓ３をオン又はオフにし，スイッチ回路Ｓ４をオン又はオフにすることにより，ビデオＣＤ処理回路１６及びＣＤ−Ｇ処理回路１７への電源供給を制御することは明らかであるから，引用発明は，本願補正発明の「前記データ内の前記駆動制御データに応じて前記駆動手段への電源供給を制御する」構成に相当する構成を有している。
　
　すると，本願補正発明と引用発明とは，次の点で一致する。
＜一致点＞
「各データに応じた複数の駆動手段を駆動させる情報処理装置の電力制御方法において，
　前記各駆動手段の動作を制御する駆動制御データ及びデータ本体で構成されるデータが供給され，
　前記データ内の前記駆動制御データに応じて前記駆動手段への電源供給を制御することを特徴とする情報処理装置の電力制御方法。」　
　
　一方，両者は次の点で相違する。
＜相違点＞
　本願補正発明では，駆動手段への電源供給及び駆動手段の省電力制御を制御するのに対し，引用発明では，駆動手段への電源供給を制御する点について記載があるが，駆動手段の省電力制御を制御する点について記載がない点。
　
（４）当審の判断
　上記相違点について検討する。
　上記（２）Ａ．【０００５】及びＢ．【００１８】の記載をかんがみると，引用発明は，省電力化を目的としたものである。そして，省電力に関する技術分野において，電源供給の制御とともに，クロック供給の制御技術などの省電力制御を制御する技術を行うことは，特開平７−１３４６２８号公報（特に，第４頁【００１１】〜【００１７】参照。）及び特開平５−２７３９５０号公報（特に，第２頁【０００２】〜【０００３】参照。）に記載されているように，本願出願前周知である。
　そうすると，引用発明において，上記周知技術を適用し，駆動手段への電源供給を制御することに加え，駆動手段の省電力制御を制御することを付加することは，当業者が容易に想到し得ることである。
　
　また，本願補正発明の構成によって生じる効果も，当業者が予測できるものである。
　したがって，本願補正発明は，引用発明及び周知技術に基づいて，当業者が容易に発明をすることができたものであるから，特許法第２９条第２項の規定により特許出願の際独立して特許を受けることができないものである。
　
（５）むすび
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
３．本願発明について
　平成１９年５月１４日付けの手続補正は上記のとおり却下されたので，本願の請求項９に係る発明（以下「本願発明」という。）は，平成１８年８月７日付けの手続補正書の特許請求の範囲の請求項９に記載された事項により特定される，以下のとおりのものである。
　
「各データに応じた複数の駆動手段を駆動させる情報処理装置の電力制御方法において、
　前記各駆動手段の動作を制御する駆動制御データが付与されたデータが供給され、
　前記駆動制御データに応じて前記駆動手段への電源供給及び前記駆動手段の省電力制御を制御することを特徴とする情報処理装置の電力制御方法。」
　
（１）引用例
　原査定の拒絶の理由に引用された引用例及びその記載事項は，前記２．（２）に記載したとおりである。
　
（２）当審の判断
　本願発明は，前記２．で検討した本願補正発明から，限定した構成要件である「前記各駆動手段の動作を制御する駆動制御データ及びデータ本体で構成されるデータ」を「前記各駆動手段の動作を制御する駆動制御データが付与されたデータ」に戻し，また，「前記駆動制御データに応じて」の限定事項である「前記データ内の」との構成を省いたものである。
　そうすると，本願発明の構成要件をすべて含み，さらに構成要件を限定し，他の構成要件を付加したものに相当する本願補正発明が，前記２．（４）に記載したとおり，引用発明及び周知技術に基づいて，当業者が容易に発明をすることができたものであるから，本願発明も同様の理由により，引用発明及び周知技術に基づいて，当業者が容易に発明をすることができたものである。
　
（３）むすび
　以上のとおり，本願発明は，引用発明及び周知技術に基づいて，当業者が容易に発明をすることができたものであるから，特許法第２９条第２項の規定により特許を受けることができない。
　よって，結論のとおり審決する。